(57)【要約】【課題】本発明は、意識不明の状態であってもアレルギー症や既往症などの治療に要する情報を第三者に知らせることを可能とする携帯電話を提供することを目的とする。【解決手段】携帯電話１のメモリ１１の不揮発性メモリに血液型、既往症、服用薬物名、アレルギー症等の携帯電話所持者に関する治療情報を記憶し、緊急ボタン３ｅを押下することによって、第三者が個人情報を取得できることを特徴とする。【選択図】　　図２
2004120467.tif 000002
【特許請求の範囲】
【請求項１】
所定の情報を入力する操作部と、
携帯電話の所持者の個人情報を記憶した不揮発性記憶部と、
前記個人情報を表示または音により出力する出力部と、
を有することを特徴とする携帯電話。
【請求項２】
前記個人情報は、血液型、既往症、服用薬物名、アレルギー症のうち少なくとも１つであることを特徴とする請求項１記載の携帯電話。
【請求項３】
前記個人情報は、住所、氏名、緊急連絡先、顔写真のうち少なくとも１つであることを特徴とする請求項１記載の携帯電話。
【請求項４】
前記操作部に緊急ボタンを設け、緊急ボタンを押下することによって前記個人情報を表示または音で出力することを特徴とする請求項１乃至３記載の携帯電話。
【発明の詳細な説明】
【０００１】
【発明の属する技術分野】
本発明は、携帯電話所持者が意識不明などの緊急時において、第三者へ既往症やアレルギー症などの個人情報を簡易な操作で伝達可能な携帯電話に関する。
【０００２】
【従来の技術】
携帯電話は、今や人口の３分の１以上が所持している。このような携帯電話の普及事実をもとに、事故などにおける緊急措置として携帯電話に救急通報機能を有する救急ボタンを備え、この救急ボタンを操作することによって即座に１１９番通報できる考案が開示されている。（例えば特許文献１参照。）
【０００３】
【特許文献１】実用新案登録３０８４１２０号
【０００４】
【発明が解決しようとする課題】
この考案は、いざ事故が発生した際に事故を起した本人が携帯電話の救急ボタンを操作するのみで１１９番通報が可能であるが、事故により意識不明の状況に陥った場合、本人による１１９番通報は当然不可能であり、第三者により通報される。また、意識不明となった本人の身元や血液型や既往症、アレルギー症などの治療に関する個人情報を救急隊員などの第三者に伝えることが不可能であった。特にアレルギー症や既往症等は、治療に影響を及ぼす恐れがあるので、一刻の猶予もならない状況であっても意識不明者を搬送中の救急車両内や搬送先の医療機関にて個人情報を調査する必要があり、この調査に時間を費やして治療が遅れてしまう恐れがあった。
【０００５】
本発明は、けが人が意識不明の場合であっても身元や血液型や既往症、アレルギー症などの個人情報を出力可能な携帯電話を提供することを目的とする。
【０００６】
【課題を解決するための手段】
本発明に係る携帯電話は、所定の情報を入力する操作部と、携帯電話の所持者の個人情報を記憶した不揮発性記憶部と、前記個人情報を表示または音により出力する出力部と、を有することを特徴とする。
また、前記個人情報は、血液型、既往症、服用薬物名、アレルギー症、住所、氏名、緊急連絡先、顔写真のうち少なくとも１つであることを特徴とする。
また、前記個人情報は、住所、氏名、緊急連絡先、顔写真のうち少なくとも１つであっても良い。
また、前記操作部に緊急ボタンを設け、緊急ボタンを押下することによって前記個人情報を表示または音で出力しても良い。
【０００７】
【発明の実施の形態】
以下、図面を参照しながら本発明に係る携帯電話の実施の形態について説明する。
図１は、本発明の一実施形態における携帯電話の平面図である。同図に示すように携帯電話１は、主として通信アンテナ２と、操作キー群３と、表示部４と、スピーカ５と、マイク６とからなる。
【０００８】
通信アンテナ２は、送信時では通信事業者などの基地局に電波を送出し、受信時では基地局からの電波が入力される。また、図１において上方向に延びる構造となっており、無線電波の送受信を容易にしている。
【０００９】
操作部３は、設定呼び出しボタン群３ａと、電源ボタン３ｂと、通話ボタン３ｃと、番号ボタン群３ｄおよび緊急ボタン３ｅを備え、押下することによって電話番号や設定などの情報を入力する。尚、設定呼出しボタン群３ａは、電話帳呼び出しボタンやメニューボタン、クリアボタン、矢印ボタンなどである。
【００１０】
表示部４は、操作ボタン群３により入力された電話番号や設定情報などの各種情報を表示する。スピーカ５は、相手の通話者の音声を出力するものであり、マイク６は音声を入力するものである。
【００１１】
また、図２は、図１における携帯電話１の構成を示すブロック図である。携帯電話１は、図１で説明した構成の他に内部の構造として無線通信処理部７と、送信部８と、受信部９と、信号処理部１０と、メモリと１１、制御部１２を有している。
【００１２】
無線通信処理部７は、基地局より受信した電波から希望する信号の抽出および増幅、あるいは送信信号の生成及び増幅を行い、送信部８は、マイク６からの音声信号を後述する無線通信処理部１０から受け取り、変調してアンテナ２を介し送信を行う。
【００１３】
受信部９は、基地局から送信される自己の携帯電話に付与された識別番号を含む着信信号及び音声情報を検出し、後述する信号処理部１０を介してスピーカ５より音声を出力する。
【００１４】
信号処理部１０は、マイク６及びスピーカ５に対するそれぞれの信号に関する出力オン、オフの制御を行う。
【００１５】
メモリ１１は、所定のプログラムが書き込まれているＲＯＭと、各種情報などを一時書き込むＲＡＭと、電源を遮断しても記憶内容を保持できる不揮発性記憶部としてのＥＥＰＲＯＭを備えている。ＥＥＰＲＯＭには、操作部３より入力された携帯電話の識別番号や電話番号や個人情報などが記憶されている。個人情報とは、意識不明など相手に情報を伝えることができない状態に陥った場合に伝えたい情報、例えば血液型、既往症、服用薬物名、アレルギー症等の携帯電話所持者に関する治療情報である。
【００１６】
これら各部は、制御部１２に接続され、制御部１２は各々の動作を制御する。このように構成された携帯電話１の発呼又は着信は、メモリ１１中のＲＯＭに書き込まれているプログラムに従い発呼または着信待ちの状態になり、着信時に各地に設置された基地局から識別番号を付加した着信信号が携帯電話に送信され、携帯電話１は受信した識別番号とＥＥＰＲＯＭに記憶された識別番号を比較し、識別番号が一致するとその携帯電話の着信であると判断し着信音を鳴らし使用者に着呼を知らせる。また、発呼時に設定呼び出しボタン郡３ａを操作して電話帳を呼び出し、識別番号を付加して発呼要求を行い、基地局は識別番号によってどの携帯電話からの発呼要求かを認識し発呼を行う。
【００１７】
次に、本発明の携帯電話の使用方法について説明する。例えば、携帯電話１の使用者が交通事故にあって意識不明の状態に陥った場合、第三者が１１９番通報し救急車両を呼ぶ。意識不明者が救急車両に運ばれ、最寄りの病院に到着するまで救急車両の中で応急処置が施される。この時、救急隊員は意識不明者の所持する携帯電話１の緊急ボタン３ｅを押下し、個人情報を表示部４に表示する。救急隊員は、血液型の情報を取得し、これにもとづいて輸血を行い、また、既往症や服用中の薬物やアレルギー症等を取得し、それらに影響の無いように応急処置を行うことができる。また、救急車両でなく病院内の医者が緊急ボタン３ｅを押下することによって、病院側で個人情報を取得することもできる。尚、緊急ボタン３ｅは、押下する１動作だけで表示でき、携帯電話所持者でない第三者でも操作することができる。また、緊急ボタン３ｅを２，３秒間長押しすることによって個人情報を表示するようにもでき、操作キー群３と緊急ボタン３ｅとの誤操作を防ぐことができる。
【００１８】
また、個人情報は、意識不明者（携帯電話所持者）の身元情報を含み、詳しくは、名前、住所、緊急連絡先や顔写真の画像データなどであって、身元の確認や親族への連絡先を早急に取得できる。
【００１９】
また、個人情報として携帯所持者の掛かり付けの医者の電話番号を登録することもできる。この場合、緊急ボタン３ｅに続けて通話ボタン３ｃを押下することにより掛かり付けの医者を呼び出し、意識不明者についての詳しい治療情報を取得した上で的確な治療を施すことが可能となる。
また、本実施の形態において個人情報を表示部４に表示するようにしたが、図示しない着信音等を出力する音声スピーカから出力するようにできる。
【００２０】
【発明の効果】
以上のように、本発明の携帯電話は、不揮発性記憶部に携帯電話所持者の個人情報を記憶し、表示または音声出力可能としたので、携帯電話所持者が事故などで意識不明に陥った場合でも医者に治療に関する血液型などの個人情報を伝えることができるので、医者による調査を省くことができ、迅速な治療が可能となる。
また、携帯電話所持者の身元を示す情報を記憶したので、家族その他に迅速に連　絡をすることができる。
また、個人情報を呼び出す緊急ボタンを設け、緊急ボタンの操作を簡易にしたので第三者にも操作できる。
【図面の簡単な説明】
【図１】本発明の携帯電話の概略平面図
【図２】本発明の携帯電話の構成ブロック図
【符号の説明】
１　　携帯電話
２　　通信アンテナ
３　　操作キー群
３ａ　設定呼び出しボタン群
３ｂ　電源ボタン
３ｃ　通話ボタン
３ｄ　番号ボタン群
４　　表示部
５　　スピーカ
６　　マイク
７　　無線通信処理部
８　　送信部
９　　受信部
１０　信号処理部
１１　メモリ
１２　制御部
【図１】
2004120467.tif 000003
【図２】
2004120467.tif 000004